【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
複数画素の各画素の階調値をｍビットで表した第１画像データ及び第２画像データが入力されると、入力された第１画像データと第２画像データとの対応する画素の階調値同士を比較する比較部と、
前記第２画像データを圧縮する圧縮部であって、前記比較部による比較結果において、前記階調値の所定のｎビット（ただし、ｎ≦ｍ）の値が一致した場合には、当該ｎビットの値が一致したことを示す識別データを含む圧縮データを生成する圧縮部と、
前記第１画像データの前記対応する画素の階調値を表すデータと、前記圧縮部により生成された圧縮データとを対応付けて出力するように制御する制御部と
を備える画像データ圧縮装置。
【請求項２】
前記圧縮部は、
前記第１画像データと前記第２画像データとで前記ｎビットの値が一致する画素が連続するとき、前記識別データと、当該画素が連続する画素数とを含む前記圧縮データを生成する
請求項１に記載の画像データ圧縮装置。
【請求項３】
ｍ＞ｎである場合、
前記圧縮部は、
前記識別データと、前記第２画像データの前記対応する画素の階調値の前記ｎビット以外の値とを含む前記圧縮データを生成する
請求項１又は２に記載の画像データ圧縮装置。
【請求項４】
前記制御部は、
前記第１画像データ及び第２画像データによって表現される画像の動きを検出し、検出した動きに応じて、前記第１画像データと第２画像データとの前記対応する画素を異ならせる
請求項１から３のいずれか１項に記載の画像データ圧縮装置。
【請求項５】
複数画素の各画素の階調値を表した第１画像データを記憶する第１メモリーと、
複数画素の各画素の階調値を表す一方で、前記第１画像データの対応する画素の階調値と所定のｎビットの値が一致する画素については、当該ｎビットの値が一致したことを示す識別データを含む圧縮後の第２画像データを記憶する第２メモリーと、
前記第１メモリーから前記第１画像データを読み出し、前記第２メモリーから前記第２画像データを読み出して、前記第２画像データを伸張する伸張部であって、前記識別データを読み出した場合には、読み出した前記第１画像データの前記対応する画素の前記ｎビットの値を用いて、ｍビット（ただし、ｍ≧ｎ）の階調値を出力する伸張部と
を備える画像データ伸張装置。
【請求項６】
前記伸張部は、
前記識別データと、前記第１画像データと前記第２画像データとで前記ｎビットの値が一致する画素が連続する画素数とを含む圧縮データを読み出した場合には、前記第１画像データの前記対応する画素の階調値を用いて、前記画素数の画素の階調値をそれぞれｍビットで出力する
請求項５に記載の画像データ伸張装置。
【請求項７】
ｍ＞ｎであり、
前記伸張部は、
前記識別データと、（ｍ−ｎ）ビットの値とを含む圧縮データを読み出した場合には、前記第１画像データの前記対応する画素の前記ｎビットの値と、前記圧縮データに含まれる前記（ｍ−ｎ）ビットの値とを用いて、ｍビットの階調値を出力する
請求項５又は６に記載の画像データ伸張装置。
【請求項８】
複数画素の各画素の階調値を表した第１画像データを記憶する第１メモリーと、
複数画素の各画素の階調値を表す一方で、前記第１画像データの対応する画素の階調値と所定のｎビットの値が一致する画素については、当該ｎビットの値が一致したことを示す識別データを含む圧縮後の第２画像データを記憶する第２メモリーと、
前記第１メモリーから前記第１画像データを読み出し、前記第２メモリーから前記第２画像データを読み出して、前記第２画像データを伸張する伸張部であって、前記識別データを読み出した場合には、読み出した前記第１画像データの前記対応する画素の前記ｎビットの値を用いて、ｍビット（ただし、ｍ≧ｎ）の階調値を出力する伸張部と、
前記第１画像データ及び前記第２画像データで表される前記各画素の階調値と、前記伸張部により伸張された第２画像データの階調値とに応じて画像を表示する表示部と
を備える表示装置。
【請求項９】
複数画素の各画素の階調値をｍビットで表した第１画像データ及び第２画像データが入力されると、入力された第１画像データと第２画像データとの対応する画素の階調値同士を比較する比較部と、
前記第２画像データを圧縮する圧縮部であって、前記比較部による比較結果において、前記階調値のうち所定のｎビット（ただし、ｎ≦ｍ）の値が一致した場合には、当該ｎビットの値が一致したことを示す識別データを含む圧縮データを生成する圧縮部と、
前記第１画像データの前記対応する画素の階調値を表すデータと、前記圧縮部により生成された圧縮データとを対応付けて出力するように制御する制御部と、
前記制御部により出力された前記階調値を表すデータを含む第１画像データを記憶する第１メモリーと、
前記圧縮部による圧縮後の第２画像データであって、前記制御部により出力された圧縮データを含む第２画像データを記憶する第２メモリーと、
前記第１メモリーから前記第１画像データを読み出し、前記第２メモリーから前記圧縮後の第２画像データを読み出して、前記圧縮後の第２画像データを伸張する伸張部であって、前記圧縮データに含まれる識別データを読み出した場合には、読み出した前記第１画像データの前記対応する画素の前記ｎビットの値を用いて、ｍビットの階調値を出力する伸張部と
を備える画像処理システム。
【請求項１０】
前記第１画像データ及び前記第２画像データにより表現される画像の部分領域単位で、前記比較部が前記ｎビットの値を比較する場合に、前記部分領域の各々について前記圧縮データのデータ量を記憶するデータ量記憶部を備え、
前記伸張部は、
前記データ量記憶部に記憶された前記データ量に基づいて、前記部分領域毎に前記圧縮後の第２画像データを伸張する
請求項９に記載の画像処理システム。
【請求項１１】
複数画素の各画素の階調値をｍビットで表した第１画像データ及び第２画像データが入力されると、入力された第１画像データと第２画像データとの対応する画素の階調値同士を比較するステップと、
前記第２画像データを圧縮するステップであって、比較結果において、前記階調値のうち所定のｎビット（ただし、ｎ≦ｍ）の値が一致した場合には、当該ｎビットの値が一致したことを示す識別データを含む圧縮データを生成するステップと、
前記第１画像データの前記対応する画素の階調値を表すデータと、前記圧縮データとを対応付けて出力するように制御するステップと
を有する画像データ圧縮方法。
【請求項１２】
複数画素の各画素の階調値を表した第１画像データを記憶する第１メモリーから、前記第１画像データを読み出すステップと、
複数画素の各画素の階調値を表す一方で、前記第１画像データの対応する画素の階調値と所定のｎビットの値が一致する画素については、当該ｎビットの値が一致したことを示す識別データを含む圧縮後の第２画像データを記憶する第２メモリーから、前記第２画像データを読み出すステップと、
前記第２画像データを伸張するステップであって、前記識別データを読み出した場合には、読み出した前記第１画像データの前記対応する画素の前記ｎビットの値を用いて、ｍビット（ただし、ｍ≧ｎ）の階調値を出力するステップと
を有する画像データ伸張方法。
【手続補正２】
【補正対象書類名】明細書
【補正対象項目名】００１５
【補正方法】変更
【補正の内容】
【００１５】
本発明に係る画像データ圧縮方法は、複数画素の各画素の階調値をｍビットで表した第１画像データ及び第２画像データが入力されると、入力された第１画像データと第２画像データとの対応する画素の階調値同士を比較するステップと、前記第２画像データを圧縮するステップであって、比較結果において、前記階調値のうち所定のｎビット（ただし、ｎ≦ｍ）の値が一致した場合には、当該ｎビットの値が一致したことを示す識別データを含む圧縮データを生成するステップと、前記第１画像データの前記対応する画素の階調値を表すデータと、前記圧縮データとを対応付けて出力するように制御するステップとを有する。
この発明によれば、第１画像データ及び第２画像データにおいて対応する画素の階調値を比較し、所定のｎビットの値が一致するときには、この値が一致することを示す識別データを含む圧縮データを生成するので、複数の画像データにおける階調値の同一性に応じた方法で、画像データを圧縮することができる。
【手続補正３】
【補正対象書類名】明細書
【補正対象項目名】００４９
【補正方法】変更
【補正の内容】
【００４９】
伸張部４７は、識別データＱの値が「１」であると判断した場合（ステップＳＤ４；ＹＥＳ）、映像データＶｄ２１ｂの対応する画素の階調値の上位ｎビットの値と、この識別データＱと同じ圧縮データに含まれる下位（ｍ−ｎ）ビットの値とを組み合わせて、ｍビットの階調値を出力する（ステップＳＤ８）。制御部１０は、伸張部４７により出力された階調値を表示部５０に出力して、表示部５０により階調値に応じた画像を表示する（ステップＳＤ６）。次に、制御部１０は、ライン全体について処理済みか否かを判断する（ステップＳＤ７）。制御部１０は、ライン全体について処理済みと判断すると（ステップＳＤ７；ＹＥＳ）、伸張処理を終了する。
表示装置１は、１ライン分について上記処理ステップを実行すると、ラインを変更しながら上記処理ステップを繰り返し実行する。表示装置１は、映像データＶｄ２１ｂ，Ｖｄ２２ｂの全体を処理して、映像データＶｘを表示部５０に出力することとなる。
以上が伸張処理の手順の説明である。
【手続補正４】
【補正対象書類名】明細書
【補正対象項目名】００６２
【補正方法】変更
【補正の内容】
【００６２】
（変形例９）
また、本発明の画像データ圧縮装置及び画像データ伸張装置は、映像を表示する装置に適用されるものに限らず、表示目的でない画像データを記憶させるコンピュータ装置等に適用することも可能である。このように、本発明の画像データ圧縮装置及び画像データ伸張装置は、様々な装置に適用することができる。